(57)【要約】【課題】どちら向けに装着しても、左右のスピーカで正しいチャンネルを再生することが可能なヘッドフォンを提供する。【解決手段】第１装耳部および第２装耳部を有し、各装耳部はオーディオケーブルが接続されるコネクタおよびスピーカを有し、各コネクタは、それぞれ第１チャンネル端子、第２チャンネル端子およびグラウンド端子を有し、第１装耳部の第１チャンネル端子は第１装耳部のスピーカに接続され、第１装耳部の第２チャンネル端子は第２装耳部のスピーカに接続され、第１装耳部のグラウンド端子は、第１装耳部および第２装耳部のスピーカに接続され、第２装耳部の第１チャンネル端子は第２装耳部のスピーカに接続され、第２装耳部の第２チャンネル端子は第１装耳部のスピーカに接続され、第２装耳部のグラウンド端子は、第１装耳部および第２装耳部のスピーカに接続されている。【選択図】図２
2014045470.tif 000002
【特許請求の範囲】
【請求項１】
第１装耳部、および、第２装耳部を有するヘッドフォンであって、
各装耳部は、オーディオケーブルが接続されるコネクタ、および、スピーカを有し、
各コネクタは、それぞれ、第１チャンネル端子、第２チャンネル端子、および、グラウンド端子を有し、
各スピーカは、それぞれ、一方の駆動端子および他方の駆動端子を有し、
第１装耳部の第１チャンネル端子は第１装耳部のスピーカの一方の駆動端子に接続され、第１装耳部の第２チャンネル端子は第２装耳部のスピーカの一方の駆動端子に接続され、第１装耳部のグラウンド端子は、第１装耳部および第２装耳部のスピーカの他方の駆動端子に接続され、
第２装耳部の第１チャンネル端子は第２装耳部のスピーカの一方の駆動端子に接続され、第２装耳部の第２チャンネル端子は第１装耳部のスピーカの一方の駆動端子に接続され、第２装耳部のグラウンド端子は、第１装耳部および第２装耳部のスピーカの他方の駆動端子に接続されている
ヘッドフォン。
【請求項２】
前記第１チャンネル端子および第２チャンネル端子には、それぞれ左チャンネルのオーディオ信号および右チャンネルのオーディオ信号が入力される請求項１に記載のヘッドフォン。
【請求項３】
前記第１装耳部のコネクタにオーディオケーブルが接続されているときには、前記第２装耳部の第１チャンネル端子と前記第２装耳部のスピーカの一方の駆動端子との接続を切り離し、前記第２装耳部の第２チャンネル端子と前記第１装耳部のスピーカの一方の駆動端子との接続を切り離すスイッチ部を備えた請求項１または２に記載のヘッドフォン。
【請求項４】
前記第１装耳部のコネクタは、前記スイッチ部として、
前記第１チャンネル端子に対する常閉接点であって、該コネクタへのプラグの挿入によって前記第１チャンネル端子から開離する第１接点端子と、
前記第２チャンネル端子に対する常閉接点であって、該コネクタへのプラグの挿入によって前記第２チャンネル端子から開離する第２接点端子と、
をさらに有し、
前記第２装耳部の第１チャンネル端子は、前記第２接点端子を介して前記第２装耳部のスピーカの一方の駆動端子に接続され、前記第２装耳部の第２チャンネル端子は、前記第１接点端子を介して第１装耳部のスピーカの一方の駆動端子に接続される
請求項３に記載のヘッドフォン。
【発明の詳細な説明】
【技術分野】
【０００１】
この発明は、左右２チャンネルのオーディオ信号を再生するステレオのヘッドフォンに関する。
【背景技術】
【０００２】
ステレオのヘッドフォンは、それぞれ左右の耳に装着される装耳部を有し、各装耳部は、それぞれ小型のスピーカを内蔵している。通常のヘッドフォンは、左側の装耳部にケーブルが接続されている。ユーザは、このケーブルを目印に、すなわちケーブルが接続されている装耳部が左耳になるようにヘッドフォンを装着する。
【０００３】
また、収納や携帯に便利なように、左側の装耳部にジャックを設け、ケーブルを取り外しできるようにしたヘッドフォンも提案されている（たとえば非特許文献１）。
【先行技術文献】
【非特許文献】
【０００４】
【非特許文献１】“ステレオヘッドホン「ＳＥ−ＭＪ５９１」取扱説明書”、[online]、パイオニア株式会社、［平成２４年７月２３日検索］、インターネット〈http://www3.pioneer.co.jp/manual/manual_pdf.php?m_id=6803〉
【発明の概要】
【発明が解決しようとする課題】
【０００５】
非特許文献１のようなヘッドフォンを使用するユーザが、ケーブルを接続する前に装着し、その後ケーブルを接続しようとした場合、ケーブルがないと装耳部の左右が解りにくく、装着方向を間違えてしまう場合がある。ユーザが、左右を間違えて装着した場合、左側にジャックがないため、ケーブルを接続することができない。また、この場合に、右側にあるジャックにケーブルを接続したとすると、ユーザに対して左右チャンネルが逆転してしまい、再生音が不自然になってしまうという問題点があった。
【０００６】
この発明は、どちら向けに装着しても、左右のスピーカで正しいチャンネルを再生することが可能なヘッドフォンを提供することを目的とする。
【課題を解決するための手段】
【０００７】
この発明は、第１装耳部および第２装耳部を有するヘッドフォンであって、各装耳部はオーディオケーブルが接続されるコネクタおよびスピーカを有し、各コネクタは、それぞれ第１チャンネル端子、第２チャンネル端子およびグラウンド端子を有し、各スピーカは、それぞれ、一方の駆動端子および他方の駆動端子を有し、第１装耳部の第１チャンネル端子は第１装耳部のスピーカの一方の駆動端子に接続され、第１装耳部の第２チャンネル端子は第２装耳部のスピーカの一方の駆動端子に接続され、第１装耳部のグラウンド端子は、第１装耳部および第２装耳部のスピーカの他方の駆動端子に接続され、第２装耳部の第１チャンネル端子は第２装耳部のスピーカの一方の駆動端子に接続され、第２装耳部の第２チャンネル端子は第１装耳部のスピーカの一方の駆動端子に接続され、第２装耳部のグラウンド端子は、第１装耳部および第２装耳部のスピーカの他方の駆動端子に接続されていることを特徴とする。
【０００８】
また、第１チャンネル端子および第２チャンネル端子に入力されるオーディオ信号を、それぞれ左チャンネルのオーディオ信号および右チャンネルのオーディオ信号としてもよい。
【０００９】
また、第１装耳部のコネクタにオーディオケーブルが接続されているときには、第２装耳部の第１チャンネル端子と第２装耳部のスピーカの一方の駆動端子との接続を切り離し、第２装耳部の第２チャンネル端子と第１装耳部のスピーカの一方の駆動端子との接続を切り離すスイッチ部を備えていてもよい。
【００１０】
この場合において、スイッチ部として、第１装耳部のコネクタに、プラグの挿入によって開離する第１チャンネル端子の常閉接点である第１接点端子、および、プラグの挿入によって開離する第２チャンネル端子の常閉接点である第２接点端子、を設け、第２装耳部の第１チャンネル端子を第２接点端子を介して第２装耳部のスピーカの一方の駆動端子に接続し、第２装耳部の第２チャンネル端子を第１接点端子を介して第１装耳部のスピーカの一方の駆動端子に接続してもよい。
【発明の効果】
【００１１】
この発明によれば、ユーザが、第１、第２の装耳部を左右どちらの耳に装着しても、オーディオケーブルを自己の左または右の一定の側のコネクタに接続すれば、ユーザに対して再生されるオーディオ信号のチャンネルの割り当てを一定にすることができる。
【図面の簡単な説明】
【００１２】
【図１】この発明の実施形態であるヘッドフォンの外観図
【図２】ヘッドフォンの回路図
【図３】第１、第２のコネクタにオーディオケーブルを接続したときの左右チャンネルの割り当てを説明する図
【図４】本発明の第２実施形態に係るヘッドフォンの回路図
【図５】本発明の第２実施形態に係るヘッドフォンの回路図
【発明を実施するための形態】
【００１３】
図１はこの発明の実施形態であるヘッドフォン１の外観図である。図２は同ヘッドフォン１の回路図である。ヘッドフォン１は、ユーザの左右の耳に装着される第１、第２のハウジング１０、２０を略半円周状のヘッドバンド３０でつないだ構成である。ヘッドバンド３０とハウジング１０、２０とは、ヨーク１５、２５を介して接続される。
【００１４】
まず、第１のハウジング１０について説明する。ハウジング１０は、短い円筒形状をなしており、側面を揺動自在にヨーク１５に支持されている。ハウジング１０の内側面、すなわちヘッドバンド３０が形成する円周の内側の面に、ユーザの耳周辺の頭部に当接するドーナッツ状のクッション１４が設けられている。このクッション１４の内側にスピーカ１２が設けられる。また、ハウジング１０は、その下面（ヘッドバンド３０と反対側の側面）にコネクタ１１を有している。コネクタ１１は、たとえばステレオ・ミニ・ジャックである。
【００１５】
同様に、第２のハウジング２０は、短い円筒形状をなしており、側面を揺動自在にヨーク２５に支持されている。ハウジング２０の内側面に、ユーザの耳周辺の頭部に当接するドーナッツ状のクッション２４が設けられている。このクッション２４の内側にスピーカ２２が設けられる。また、ハウジング２０は、その下面にコネクタ２１を有している。コネクタ２１は、たとえばステレオ・ミニ・ジャックである。
ヘッドバンド３０内には、第１、第２のハウジング１０、２０のコネクタ１１，２１およびスピーカ１２，２２を相互に接続する３芯のケーブル３１が埋設されている。
【００１６】
図２の回路図に示すように、コネクタ１１、２１は、それぞれＧ（Ｇ１，Ｇ２：グラウンド）、Ｌ（Ｌ１，Ｌ２：左チャンネル）、Ｒ（Ｒ１，Ｒ２：右チャンネル）の端子を有している。これらの端子は、ケーブル３１を介して、Ｇ１とＧ２、Ｌ１とＲ２、および、Ｒ１とＬ２が相互に接続される。すなわち、コネクタ１１、２１のＬ／Ｒチャンネルは相互に反転して接続される。
【００１７】
そして、第１のハウジング１０において、コネクタ１１の端子Ｇ１および端子Ｌ１がスピーカ１２に接続され、第２のハウジング２０において、コネクタ２１の端子Ｇ２および端子Ｌ２がスピーカ２２に接続される。したがって、右チャンネルの端子Ｒ１，Ｒ２は、自ハウジング側のスピーカには接続されず、相手ハウジング側のスピーカに接続されることになる。
【００１８】
このヘッドフォン１には、オーディオケーブル３が付属している。このオーディオケーブルは、３芯のシールドケーブルであり、両端にコネクタ（ステレオ・ミニ・プラグ）４が設けられている。このオーディオケーブル３の一端が、オーディオ再生装置２のヘッドフォン端子２Ａに接続され、他端が、ヘッドフォン１のコネクタ１１，２１のいずれかに接続される。
【００１９】
オーディオケーブル３が接続された状態の回路図を図３に示す。図３（Ａ）は第１のハウジング１０のコネクタ１１にオーディオケーブル３が接続された状態を示している。図３（Ｂ）は第２のハウジング２０のコネクタ２１にオーディオケーブル３が接続された状態を示している。この図に示すように、オーディオケーブル３が接続された側のスピーカがＬ（左）チャンネルのスピーカとなり、その反対側のスピーカがＲ（右）チャンネルのスピーカとなる。
【００２０】
したがって、ユーザは、まずヘッドフォン１の左右を気にすることなく両耳に装着し、そののち左耳に装着した方のハウジング１０／２０のコネクタ１１／２１にオーディオケーブル３を接続することで、左右を誤ることなくステレオの再生音を聴取することができる。
【００２１】
また、オーディオケーブル３が接続されたコネクタ１１／２１と反対側のコネクタ２１／１１には、オーディオケーブル３からヘッドフォン１に入力されたオーディオ信号が出力される。このため、この反対側のコネクタ２１／１１に、更に他のヘッドフォンを接続すれば、２台のヘッドフォンでオーディオ信号を聴くことができる。この接続を連続することで３台以上のヘッドフォンでオーディオ信号を聴くことも可能である。なお、この実施形態のヘッドフォン１はコネクタ１１とコネクタ２１とでＬ／Ｒの接続が反転しているため、出力される信号のＬ／Ｒは逆になる。この場合、Ｌ／Ｒの接続がクロスしたオーディオケーブルで接続すれば、下流のヘッドフォンにＬ／Ｒを逆転させずにオーディオ信号を入力することが可能である。
【００２２】
以上説明した実施形態では、第１、第２のハウジング１０，２０のコネクタ１１，２１が並列にスピーカ１２，２２に接続されており、左右のコネクタ１１，２１の両方にオーディオケーブル３が接続された場合、両コネクタ１１，２１から入力されたオーディオ信号がともにスピーカ１２，２２に供給され、スピーカ１２，２２から両方の音が放音される。
【００２３】
図４、図５を参照して説明する第２の実施形態では、一方のコネクタを優先コネクタとし、左右のコネクタの両方にオーディオケーブル３が接続された場合でも、優先コネクタから入力されるオーディオ信号のみをスピーカ１２，２２に供給して放音する回路構成にしている。なお、この実施形態では、第１のハウジング１０のコネクタ１１Ｂを優先コネクタとしている。
【００２４】
図４および図５は、本発明の第２実施形態に係るヘッドフォンの回路図である。図４は、第１のハウジング１０のコネクタ１１にオーディオケーブル３が接続された状態を示している。図５は、第２のハウジング２０のコネクタ２１にオーディオケーブル３が接続された状態を示している。図４と図５において、図２と同一構成の個所には同符号を付す。以下、図２の構成との相違点について説明する。
【００２５】
図４、図５に示すように、ヘッドフォン５１は、ハウジング１０のコネクタ１１Ｂにスイッチ４１を備えている。コネクタ１１Ｂは、接点端子付きのステレオミニジャックであり、スイッチ４１は、コネクタ１１Ｂの端子Ｌ１の接点端子Ｒ２Ｂと、コネクタ１１Ｂの端子Ｒ１の接点端子Ｌ２Ｂにより構成される。コネクタ１１Ｂの端子Ｌ１の接点端子Ｒ２Ｂはコネクタ２１の端子Ｒ２に接続され、コネクタ１１Ｂの端子Ｒ１の接点端子Ｌ２Ｂはコネクタ２１の端子Ｌ２に接続されている。すなわち、コネクタ２１の端子Ｒ２、Ｌ２は、スピーカ１２，２２に直接には接続されず、コネクタ１１Ｂの接点端子Ｌ２Ｂ、Ｒ２Ｂを介してスピーカ１２，２２に接続される。
【００２６】
コネクタ１１Ｂの端子Ｇ１、端子Ｌ１およびコネクタ２１の端子Ｇ２が第１のハウジング１０のスピーカ１２に接続され、コネクタ１１Ｂの端子Ｇ１、コネクタ２１の端子Ｇ２およびコネクタ１１Ｂの端子Ｒ１が第２のハウジング２０のスピーカ２２に接続される。
【００２７】
ヘッドバンド３０内には、第１、第２のハウジング１０、２０のコネクタ１１，２１およびスピーカ１２，２２を相互に接続する４芯のケーブル３１Ｂが埋設されている。
【００２８】
図４に示すように、コネクタ（ステレオミニジャック）１１Ｂにオーディオケーブル３のステレオミニプラグ４が挿入されたときには、スイッチ４１によって、コネクタ１１Ｂの端子Ｌ２Ｂと端子Ｒ１の接続が切り離され、コネクタ１１Ｂの端子Ｒ２Ｂと端子Ｌ１の接続が切り離される。これにより、コネクタ２１の端子Ｒ２、端子Ｌ２とスピーカ１２，２２との信号経路が切断される。したがって、この状態でコネクタ２１に他のオーディオ再生装置２′のオーディオケーブル３′のステレオミニプラグ４′が挿入接続されても、そのオーディオケーブル３′から入力されるオーディオ信号はスピーカ１２，２２に供給されない。なお、コネクタ１１Ｂに挿入されたステレオミニプラグ４は、コネクタ１１Ｂの端子Ｒ１、端子Ｌ１、端子Ｇ１に接続され、このステレオミニプラグ４から入力されたＬ／Ｒチャンネルのオーディオ信号が，ヘッドフォン５１のスピーカ１２，２２からそれぞれ放音される。
【００２９】
一方、図５に示すように、コネクタ（ステレオミニジャック）１１Ｂにオーディオケーブル３のステレオミニプラグ４が挿入されていない状態で、コネクタ（ステレオミニジャック）２１にオーディオケーブル３のステレオミニプラグ４が挿入された場合、ステレオミニプラグ４のＬチャンネル端子は、コネクタ２１の端子Ｌ２から、コネクタ１１Ｂの端子Ｌ２Ｂ、端子Ｒ１を介してスピーカ２２に接続される。また、ステレオミニプラグ４のＲチャンネル端子は、コネクタ２１の端子Ｒ２から、コネクタ１１Ｂの端子Ｒ２Ｂと端子Ｌ１を介してスピーカ１２に接続される。これにより、オーディオ再生装置２から出力されたＬチャンネルのオーディオ信号がヘッドフォン５１のスピーカ２２から放音され、Ｒチャンネルのオーディオ信号がヘッドフォン５１のスピーカ１２から放音される。
【００３０】
図５の形態でオーディオケーブル３が接続されているときに、さらに、コネクタ１１Ｂに他のオーディオ再生装置２′のステレオミニプラグ４′が挿入された場合には、図４に示したように、このコネクタ１１Ｂへの接続が優先され、コネクタ２１、すなわちコネクタ２１に接続されているオーディオケーブル３はスピーカ１２，２２から切り離される。
【００３１】
以上の構成により、コネクタ１１Ｂとコネクタ２１の両方にオーディオケーブル３（ステレオミニプラグ４）と他のオーディオケーブル３′（ステレオミニプラグ４′）が接続されたとしても、コネクタ１１Ｂに接続されたオーディオケーブル３（３′）すなわちステレオミニプラグ４（４′）が優先される。これにより、コネクタ１１Ｂとコネクタ２１の両方にオーディオケーブル３（ステレオミニプラグ４）と他のオーディオケーブル３′（ステレオミニプラグ４′）が接続されたとしても、ヘッドフォン５１のスピーカ１２，２２から２つの音声が放音されることがなく、ヘッドフォン５１や、オーディオケーブル３を介して接続される２つのオーディオ再生装置が破損することがない。
【００３２】
なお、以上の実施形態では、オーディオケーブル３を接続した側が左チャンネルになるようにしているが、逆にオーディオケーブル３を接続した側が右チャンネルになるようにしてもよい。また、コネクタはミニ・プラグ／ジャックに限らない。また、ヘッドフォン１は、ヘッドベルト型に限定されない。
【００３３】
なお、図１に示したヘッドフォン１は、左右対称の形状であるが、左右のハウジング１０、２０の形状を異ならせるなど、左右のデザインが異ならせて左右非対称としてもよい。この場合、ユーザは、気分でどちらを左／右にするかを選択し、左側にしたハウジング１０／２０のコネクタ１１／２１にオーディオケーブル３を接続して使用すればよい。
【００３４】
なお、図４、図５に示したヘッドフォン５１では、スイッチ４１を接点端子により構成されるものとしたが、これに限るものではなく、コネクタ１１Ｂにステレオミニプラグが挿入されたことを検出して、コネクタ２１の各端子の接続を切り離すものであれば、他のスイッチでもよい。
【符号の説明】
【００３５】
１，５１  ヘッドフォン
２、２′  オーディオ再生装置
３、３′  オーディオケーブル
４、４′  ステレオミニプラグ
１０，２０  ハウジング（装耳部）
１１，１１Ｂ，２１  コネクタ（ステレオ・ミニ・ジャック）
１２，２２  スピーカ
３０  ヘッドベルト
３１  ３芯ケーブル
４１  スイッチ
【図１】
2014045470.tif 000003
【図２】
2014045470.tif 000004
【図３】
2014045470.tif 000005
【図４】
2014045470.tif 000006
【図５】
2014045470.tif 000007